(57)【要約】【課題】意匠性を維持しつつ、容易にファンユニットの点検等を行うことのできるファンユニットの取付け構造を提供する。【解決手段】ファンユニットの取付け構造（１０）は、窓（１１）の下端縁に沿って配置され、ファンユニット（２）の吹出し口の位置に開口を有する額縁（４１）と、額縁（４１）の下方に、額縁（４１）から独立した状態で、床面（１０３ａ）よりも高い位置にファンユニット（２）を支持する支持部材（８）と、ファンユニット（２）よりも屋内側に横幅方向に沿って配置され、額縁（４１）の屋内側端部の下方に配置される面部材（３２１）と、ファンユニット（２）を隠蔽状態および露出状態の２状態に切替え可能に、面部材（３２１）を取り付ける取付部材（６）とを備える。【選択図】図４
2015224817.tif 000002
【特許請求の範囲】
【請求項１】
建物の壁部に設けられた窓の下方に、前記窓の横幅方向に沿って、空気の吹出し口が上部に設けられたファンユニットを取り付ける構造であって、
前記窓の下端縁に沿って配置され、前記吹出し口の位置に開口を有する額縁と、
前記額縁の下方に、前記額縁から独立した状態で、床面よりも高い位置に前記ファンユニットを支持するための支持部材と、
前記ファンユニットよりも屋内側に横幅方向に沿って配置され、前記額縁の屋内側端部の下方に配置される面部材と、
前記ファンユニットを隠蔽状態および露出状態の２状態に切替え可能に、前記面部材を取り付けるための取付部材とを備える、ファンユニットの取付け構造。
【請求項２】
前記壁部は、前記窓を有する外壁と、前記外壁から離れて配置された内壁とを含み、
前記ファンユニットは、前記外壁と前記内壁との間に配置され、
前記内壁は、前記面部材と、横幅方向において前記面部材の両隣に位置する一対の横壁とを有し、
前記面部材は、前記取付部材を介して、前記一対の横壁の屋外面に当接または近接した状態で固定された固定部材に支持されている、請求項１に記載のファンユニットの取付け構造。
【請求項３】
前記取付部材は、前記固定部材に対し、ケンドン式および蝶番式のいずれかによって、前記面部材を取り付ける、請求項２に記載のファンユニットの取付け構造。
【請求項４】
前記取付部材は、前記固定部材に固定された被係合部と、前記面部材に固定され、前記被係合部に対し上方から係合する係合部とを含む、請求項３に記載のファンユニットの取付け構造。
【請求項５】
前記固定部材は、前記各横壁の屋外面のうち、前記面部材側の端部に固定されており、
前記被係合部は、前記固定部材の側面に固定される、請求項４に記載のファンユニットの取付け構造。
【請求項６】
前記面部材の屋外面には、互いに間隔をあけて配置された複数の当接部材が固定されており、
前記係合部は、前記当接部材に固定される、請求項４または５に記載のファンユニットの取付け構造。
【請求項７】
前記面部材は、石膏ボードであり、
前記当接部材は、補強材である、請求項６に記載のファンユニットの取付け構造。
【請求項８】
前記固定部材は、前記面部材よりも屋外側において前記一対の横壁間に架け渡されており、
前記取付部材は、前記固定部材と前記面部材とを連結する蝶番を含む、請求項３に記載のファンユニットの取付け構造。
【請求項９】
前記支持部材は、高さ調整可能に前記ファンユニットを支持している、請求項１〜８のいずれかに記載のファンユニットの取付け構造。
【請求項１０】
前記支持部材は、床に固定された軸部材と、前記軸部材に係合し、前記ファンユニットの高さをロックするためのロック部材とを含む、請求項９に記載のファンユニットの取付け構造。
【請求項１１】
前記ファンユニットの上面における前記吹出し口の周囲には、気密材が貼り付けられており、
前記支持部材は、前記気密材を前記額縁の下面に押し付けた状態で、前記ファンユニットを支持している、請求項９または１０に記載のファンユニットの取付け構造。
【発明の詳細な説明】
【技術分野】
【０００１】
本発明は、ファンユニットの取付け構造に関し、特に、建物の窓の下方にファンユニットを取付けるためのファンユニットの取付け構造に関する。
【背景技術】
【０００２】
近年、建物外壁の開口部に設けられたガラスと、このガラスの内側に設けられた日射を遮蔽するブラインドと、このブラインドの内側に設けられたガラスとを備えたエアフローウインドウやダブルスキンが採用されている。エアフローウインドウ及びダブルスキンは、外側のガラスと内側のガラスとの間に形成される空間に空気を流動させて、熱負荷を低減するシステムである。
【０００３】
一方で、エアフローウインドウ及びダブルスキンは、外側のガラスと内側のガラスとの間で気密空間を形成するので、コストが高いなどの問題を有している。そこで、内側にガラスを設けない構造として、例えば、特開平７−１８９５９号公報（特許文献１）及び特許第２６６２７５５号公報（特許文献２）などの技術が考えられている。
【０００４】
特許文献１には、窓ガラスの内側に、複数のスラットで構成するブラインドを設置し、このブラインドの室内側の端部に透視性を有するスクリーンを貼着したことを特徴とする日射遮蔽装置が開示されている。特許文献２には、窓ガラスの内側に、不透明な繊維で織られた日射遮蔽用の不透明なロールスクリーンと、内側に低放射フィルムを貼設した透明なロールスクリーンとを相互間に通風間隔を存して並設し、かつ、これらロールスクリーンは個別に昇降自在としたことを特徴とする日射遮蔽装置が開示されている。
【０００５】
エアフローウインドウをはじめ、建物外壁の窓の屋内面（屋内側の面）に沿って空気を流動させる必要がある場合、カーテン状の吹出し気流を生成するファンユニットが、通気空間の下方位置に設けられる。ファンユニットは、床面からの窓の高さ等に応じて、床置きされる場合と、床よりも上方位置に配置される場合とがある。
【０００６】
後者の場合、たとえば特開平１０−２５９９２２号公報（特許文献３）に示されるように、ファンユニットは、窓の下端部と略同じ高さの天板に、専用の金具を介して吊り下げられることが一般的である。ファンユニットの室内側（前方）の面は、天板高さから床高さまで延びる前板によって覆われている。
【先行技術文献】
【特許文献】
【０００７】
【特許文献１】特開平７−１８９５９号公報
【特許文献２】特許第２６６２７５５号公報
【特許文献３】特開平１０−２５９９２２号公報
【発明の概要】
【発明が解決しようとする課題】
【０００８】
ファンユニットは、定期的に点検やメンテナンスを行う必要がある。特許文献３のように、ファンユニットが天板に吊り下げられる場合、ファンユニットの点検等を行うためには、前板を取外した後、工具を用いて吊り金具と天板との係合を解除しなくてはならない。このように、点検等の度に、吊り金具と天板との係合を解除するのは、非常に面倒である。
【０００９】
一方で、簡便にメンテナンスを行うために、ファンユニットの室内側に配置されるパネル（前板）自体に点検口を設けることも考えられるが、そうすると意匠性が低下してしまう。
【００１０】
本発明は、上記のような課題を解決するためになされたものであって、その目的は、意匠性を維持しつつ、容易にファンユニットの点検等を行うことのできるファンユニットの取付け構造を提供することである。
【課題を解決するための手段】
【００１１】
この発明のある局面に従うファンユニットの取付け構造は、建物の壁部に設けられた窓の下方に、窓の横幅方向に沿って、空気の吹出し口が上部に設けられたファンユニットを取り付ける構造であって、額縁と、支持部材と、面部材と、取付部材とを備える。額縁は、窓の下端縁に沿って配置され、吹出し口の位置に開口を有する。支持部材は、額縁の下方に、額縁から独立した状態で、床面よりも高い位置にファンユニットを支持する。面部材は、ファンユニットよりも屋内側に横幅方向に沿って配置され、額縁の屋内側端部の下方に配置される。取付部材は、ファンユニットを隠蔽状態および露出状態の２状態に切替え可能に、面部材を取り付ける。
【００１２】
好ましくは、壁部は、窓を有する外壁と、外壁から離れて配置された内壁とを含み、ファンユニットは、外壁と内壁との間に配置される。この場合、内壁は、面部材と、横幅方向において面部材の両隣に位置する一対の横壁とを有し、面部材は、取付部材を介して、一対の横壁の屋外面に当接または近接した状態で固定された固定部材に支持されていることが望ましい。
【００１３】
好ましくは、取付部材は、固定部材に対し、ケンドン式および蝶番式のいずれかによって、面部材を取り付ける。
【００１４】
好ましくは、取付部材は、固定部材に固定された被係合部と、面部材に固定され、被係合部に対し上方から係合する係合部とを含む。
【００１５】
固定部材は、各横壁の屋外面のうち、面部材側の端部に固定されていてもよい。この場合、被係合部は、固定部材の側面に固定されることが望ましい。
【００１６】
面部材の屋外面には、互いに間隔をあけて配置された複数の当接部材が固定されていてもよい。この場合、係合部は、当接部材に固定されることが望ましい。
【００１７】
上記面部材は、石膏ボードであり、上記当接部材は、補強材であることが望ましい。
【００１８】
固定部材は、面部材よりも屋外側において一対の横壁間に架け渡されていてもよい。この場合、取付部材は、固定部材と面部材とを連結する蝶番を含むことが望ましい。
【００１９】
好ましくは、支持部材は、高さ調整可能にファンユニットを支持している。
【００２０】
支持部材は、床に固定された軸部材と、軸部材に係合し、ファンユニットの高さをロックするためのロック部材とを含むことが望ましい。
【００２１】
ファンユニットの上面における吹出し口の周囲には、気密材が貼り付けられていてもよい。この場合、支持部材は、気密材を額縁の下面に押し付けた状態で、ファンユニットを支持していることが望ましい。
【発明の効果】
【００２２】
本発明によれば、意匠性を低下させることなく、容易にファンユニットの点検等を行うことができる。
【図面の簡単な説明】
【００２３】
【図１】本発明の実施の形態１における建物外壁の開口部構造、および、ファンユニットの取付け構造を概略的に示す縦断面図である。
【図２】図１のＩＩ−ＩＩ線に沿うファンユニットの取付け構造を模式的に示す縦断面図である。
【図３】（Ａ）は、本発明の実施の形態１におけるファンユニットの上面図であり、（Ｂ）は、ファンユニットが載せられるベース部材の上面図である。
【図４】図２のＩＶ−ＩＶ線に沿うファンユニットの取付け構造を模式的に示す縦断面図である。
【図５】図４のＶ−Ｖ線に沿うファンユニットの取付け構造を模式的に示す横断面図である。
【図６】本発明の実施の形態１において、ファンユニットが露出された状態を模式的に示す平面図である。
【図７】本発明の実施の形態１における取付部材を示す上面図である。
【図８】本発明の実施の形態１における取付部材を示す縦断面図である。
【図９】本発明の実施の形態１における取付部材の被係合部を示す図である。
【図１０】本発明の実施の形態１における取付部材の係合部を示す図である。
【図１１】本発明の実施の形態１において、支持部材がファンユニットを高さ調整可能に支持している様子を模式的に示す図である。
【図１２】本発明の実施の形態２に係るファンユニットの取付け構造を模式的に示す横断面図である。
【図１３】本発明の実施の形態２における取付部材の上面図である。
【図１４】本発明の実施の形態２における取付部材の係合部を示す図である。
【図１５】本発明の実施の形態２における取付部材の被係合部を示す図である。
【図１６】本発明の実施の形態２における係合部と被係合部との係合状態を模式的に示す図である。
【図１７】本発明の実施の形態３に係るファンユニットの取付け構造を模式的に示す縦断面図である。
【発明を実施するための形態】
【００２４】
本発明の実施の形態について図面を参照しながら詳細に説明する。なお、図中同一または相当部分には同一符号を付してその説明は繰返さない。
【００２５】
＜実施の形態１＞
図１に示されるように、ファンユニット２は、建物の壁部１０１に設けられた窓１１（開口部１０２）の下方に、窓１１の横幅方向に沿って取り付けられる。ファンユニット２は、空気の吹出し口２３を上部に有しており、窓１１の屋内面（屋外側の面）に沿ってカーテン状の吹出し気流を送出する。
【００２６】
はじめに、本実施の形態に係るファンユニット２の取付け構造の説明に先立ち、その前提となる建物外壁の開口部構造の一例について簡単に説明する。
【００２７】
（建物外壁の開口部構造について）
図１には、本実施の形態に係る建物外壁の開口部構造１００が示されている。なお、図１における矢印Ａ１で示す方向は、屋外側を表し、矢印Ａ１の反対方向は、屋内側（「室内側」ともいう）を表している。
【００２８】
開口部構造１００は、出願人が、特願２０１３−１５０９０４号として出願済みの建物外壁の開口部構造を採用している。開口部構造１００は、窓１１と、窓遮蔽部材１５と、吸気部１６と、排気部１７とを備えている。窓遮蔽部材１５は、窓１１の内側に配置されている。吸気部１６は、窓１１の下方に配置されている。排気部１７は、窓１１の上方に配置されている。
【００２９】
窓１１は、建物外壁である壁部１０１に設けられた開口部１０２全体を遮蔽し、開口部１０２の下部を遮蔽する第１の窓１２と、開口部１０２の上部を遮蔽する第２の窓１３とを有している。本実施の形態では、窓１１は第１及び第２の窓１２、１３からなり、第１の窓１２上に第２の窓１３が設けられている。第１及び第２の窓１２、１３は、例えば、窓枠と、窓枠に取り付けられたガラスとを含む。ガラスは透明であり、日射を取り込むことができる。
【００３０】
第１の窓１２は、閉じた窓であり、例えば、開閉することのできないＦＩＸ窓を用いてもよく、開閉可能な窓を用いてもよい。第２の窓１３は、開閉可能な窓であり、例えば、排煙窓、外倒し窓などを用いることができる。また、窓１１を引違い窓とし、第１の窓１２と第２の窓１３とをそれぞれ異なるレールに嵌め、第２の窓１３を滑らせることで開閉可能にしてもよい。
【００３１】
窓遮蔽部材１５は、窓１１の内側（屋内面）に沿って配置され、窓１１と、建物内部の室内１８とを遮蔽する。窓遮蔽部材１５は、窓１１との間に空気が流動する流路（以下、「空気層１４」とも言う）を形成する。窓遮蔽部材１５は、例えば、ブラインド、ロールスクリーン、カーテンなどであってよい。窓遮蔽部材１５は、日射を遮蔽する材質であることが好ましく、日射反射率の高い材質であることがより好ましい。
【００３２】
窓遮蔽部材１５は、上端縁１５Ａと、この上端縁１５Ａと反対側の下端縁１５Ｂとを有し、上端縁１５Ａが上下方向に変位可能なように設けられている。つまり、窓遮蔽部材１５は、上方から開口するように構成されている。このため、窓遮蔽部材１５は上からの開口面積（開口度合）を任意に調整することができる。
【００３３】
ここで、上端縁１５Ａとは、窓遮蔽部材１５において最も上の位置である。言い換えると、上端縁１５Ａとは、建物の室内側から窓遮蔽部材１５を見たときに、窓遮蔽部材１５の最も高い位置である。窓遮蔽部材１５の上端縁１５Ａの最大高さは、第１の窓１２の上端縁または第２の窓１３の下端縁と略同じ高さであってもよい。一方、窓遮蔽部材１５の下端縁１５Ｂは、固定されていることが好ましく、例えば、第１の窓１２の下端縁と略同じ高さである。
【００３４】
このように、窓遮蔽部材１５の上端縁１５Ａを、第２の窓１３に対向する空間が開口するように位置させても、空気層１４を上昇する空気は窓１１に沿って流動する。すなわち、窓遮蔽部材１５と天井との間に開口を有していても、たとえば、排気部１７における吸引口の大きさ、上端縁１５Ａと排気部１７との距離等を調整することにより、窓遮蔽部材１５の上端縁１５Ａと天井との間の開口からの空気層１４の空気の漏れ、および、当該開口から空気層１４への室内１８の空気の流入を抑制することができる。なお、窓遮蔽部材１５の上端縁１５Ａは、天井高さまで上昇可能であってもよい。
【００３５】
窓遮蔽部材１５は、下から上に向けて窓１１に近づくように傾斜していていることが望ましい。つまり、窓遮蔽部材１５と窓１１との間に形成される空気の流路である空気層１４は、下から上に向けて狭くなっていることが望ましい。これにより、窓遮蔽部材１５に沿った指向性の高い気流を空気層１４内に形成できるからである。そうすることで、窓遮蔽部材１５と天井との間に開口を有していても、当該開口からの空気層１４の空気の漏れ、および、当該開口から空気層１４への室内１８の空気の流入をより確実に抑制することができる。その結果、排熱効率が高められる。
【００３６】
なお、窓遮蔽部材１５の上端縁１５Ａを上下方向に変位可能にするために、例えば、窓遮蔽部材１５の上端縁１５Ａを支持するための上端支持部材（図示せず）と、窓遮蔽部材１５を巻き取るための巻取部材（図示せず）とが配置されている。上端支持部材は、例えば開口部１０２の両側部にレール状で設けられ、窓遮蔽部材１５の上端縁１５Ａの幅方向両端部がこの上端支持部材の中を通って上下方向に可変し自由な位置で調節できる。このとき窓遮蔽部材１５も両端はレール状の上端支持部材で支持されてもよく支持されなくてもよい。巻取部材は、例えば窓遮蔽部材１５の下端縁１５Ｂ下に設けられる。また、窓遮蔽部材１５が下から上に向けて窓１１に近づくように傾斜するためには、例えば、このレール状の上端支持部材を下から上に向けて窓１１に近づくように傾斜するように配置する。
【００３７】
吸気部１６は、第１の窓１２の下方に配置され、室内１８の空気を吸引し、窓１１と窓遮蔽部材１５との間に形成される空間である空気層１４に空気を流す。この吸気部１６に、ファンユニット２が設けられる。
【００３８】
排気部１７は、第２の窓１３の上方に配置され、建物内部及び建物外部の少なくとも一方へ空気を排出する。排気部１７が建物外部に空気を排出する場合には、排気部１７は例えば天井部に設けられる。本実施の形態では、排気部１７は第２の窓１３の上に設けられ、かつその入口が空気層１４の直上である。排気部１７にも、ファン１７０が配置されていてもよい。なお、排気部１７は、吸気部１６から吸引されて窓１１に沿って上昇した空気を建物内部及び建物外部の少なくとも一方へ排出する構成であれば、第２の窓１３上の壁に設けられる配置に特に限定されない。
【００３９】
上記のような建物外壁の開口部構造１００においては、気温や気候に応じて、第２の窓１３の開閉と、窓遮蔽部材１５の上端縁１５Ａの位置とが調整されることで、壁部１０１の開口部１０２の熱負荷を低減することができる。なお、第２の窓１３の上方の壁部１０１には、建物内部の日射遮断機能及び採光機能を季節等に応じて持たせるために、庇１９が配置されていてもよい。
【００４０】
上述のように、吸気部１６には、ファンユニット２が設けられている。このようなファンユニット２が窓１１の下方に設けられることで、空気層１４内の空気の流動を促進することができる。これにより、煙突効果と相乗して空気層１４の通気量が増加するため、排熱量を増やすことができる。以下に、ファンユニット２を窓１１の下方に取付けるための構造について、詳細に説明する。
【００４１】
（ファンユニットの取付け構造の概要について）
次に、図２〜図５をさらに参照して、本実施の形態に係るファンユニットの取付け構造１０の概要について説明する。なお、図２および図４には、窓遮蔽部材１５の図示が省略されている。図２における両矢印Ａ２で示す方向は、窓１１の横幅方向（左右方向）を表している。
【００４２】
図２および図３に示されるように、本実施の形態におけるファンユニット２は、筒状の筐体２１と、ファン２２と、吹出し口２３とを備えている。筐体２１は、一方方向に長く、長手方向一端側が開口され、他端側が閉塞されている。また、筐体２１は、矩形状断面を有している。ファン２２は、筐体２１の開口側に設けられ、筐体２１内に風を送り込む。筐体２１は、チャンバーボックスとして機能する。筐体２１は、その長手方向が窓１１の横幅方向に一致するように配置される。
【００４３】
吹出し口２３は、筐体２１の長手方向に沿ってライン状に設けられ、ファン２２から筐体２１内に送り込まれた風を外部に吹き出す。吹出し口２３は、筐体２１の上面２１ａに設けられているため、吹出し口２３からの空気は上昇気流として空気層１４を流れる。吹出し口２３の周囲には、額縁４１との隙間を塞ぐために、気密材（パッキン）７が設けられている。
【００４４】
ファンユニット２は、筐体２１の下端部から、長手方向一端側および他端側にそれぞれ突出するフランジ部２４，２５さらに備えている。フランジ部２４，２５は、その裏面が筐体２１の底面２１ｂと面一状となるように設けられている。図３に示すように、ファンユニット２のフランジ部２４，２５には、それぞれ、上下方向に貫通する貫通穴２４０，２５０が設けられている。ファン２２側のフランジ部２４の貫通穴２４０は、ファン２２よりも側方に設けられている。
【００４５】
本実施の形態では、このような構成のファンユニット２が、壁部１０１内の空間１０４、すなわち外壁３１と内壁３２との間に、額縁４１の下方かつ床面１０３ａから浮いた状態で配置されている。
【００４６】
外壁３１は、窓１１を有する壁体である。内壁３２は、外壁３１から離れて、室内１８に露出して配置される壁体である。内壁３２は、ファンユニット２の屋内側に配置される、高さの低い面部材３２１と、面部材３２１の横幅方向両隣に位置する、高さのある一対の面部材（以下「横壁」という）３２２とを有している。
【００４７】
面部材３２１は、額縁４１の屋内側端部の下方に配置され、床面高さ付近から額縁４１の前縁部４１２の下端高さ付近にまで延びている。面部材３２１は、ファンユニット２を隠蔽状態および露出状態の２状態に切替え可能に取り付けられている。面部材３２１の横幅寸法は、ファンユニット２の横幅寸法以上であることが望ましい。
【００４８】
室内１８にＯＡ（Office Automation）フロア３３が設けられている場合には、室内１８の空気を吸気するための吸気口１０５は、たとえば、この面部材３２１の下端部とＯＡフロア３３との間に設けられてもよい。なお、吸気口１０５の位置は、この位置に限定されない。たとえば、面部材３２１の上端部と額縁４１との間に吸気口が設けられてもよい。
【００４９】
本実施の形態では、面部材３２１は、たとえば石膏ボードである。このように、面部材３２１の強度が比較的低い場合には、図４および図５に示されるように、面部材３２１の屋外面（屋外側の面）には、複数の補強材４３が、横幅方向に間隔をあけて固定されている。補強材４３は、面部材３２１の屋外面に当接または近接した状態で固定された当接部材の一例であり、少なくとも、面部材３２１の横幅方向両端部に設けられていればよい。
【００５０】
各横壁３２２は、床面高さから天井高さまで延びている。横壁３２２の下端部は、ＯＡフロア３３または床１０３に接している。横壁３２２の屋内面には、固定部材４０が当接または近接した状態で固定されている。固定部材４０は、一対の横壁３２２間に架け渡される横架部材４２と、横壁３２２の屋内面に固定された下地材４４とのうちの少なくとも一方を含む。
【００５１】
横架部材４２は、面部材３２１の補強材４３および横壁３２２の下地材４４の上方に配置される。横架部材４２は、面部材３２１が取付られている場合、その屋外面にも当接する。なお、図５では、横架部材４２の図示が省略されている。横架部材４２は、横壁３２２の屋外面に当接または近接さえしていれば、横壁３２２以外の部材に固定されていてもよい。
【００５２】
下地材４４は、少なくとも、各横壁３２２の面部材３２１側の端部に設けられている。これにより、下地材４４は、横幅方向において、面部材３２１の補強材４３と近接した状態で配置される。なお、補強材４３および下地材４４は、ともに、たとえば鋼材により形成されており、矩形状の筒状断面を有している。
【００５３】
額縁４１は、窓１１の下端縁に沿って配置される。額縁４１は、水平方向に延在する板状部材であり、図５に示されるように、ファンユニット２の吹出し口２３の位置に開口４１０を有している。上記した窓遮蔽部材１５を巻き取る巻取部材は、額縁４１の上面に接するように設けられてもよい。
【００５４】
額縁４１の屋外側端部は、たとえば、窓１１の下方に位置する桟部１１０に固定された、略Ｕ字状の金具４５に接合されている。額縁４１の屋内側端部は、横架部材４２によって下方から支持されている。なお、額縁４１と横架部材４２との間に上下方向の隙間がある場合には、額縁４１の下面には、横架部材４２の上面に接する脚部４１１が設けられてもよい。
【００５５】
ここで、ファンユニットの取付け構造１０は、上記面部材３２１および額縁４１に加え、取付部材６と、支持部材８とを備えている。
【００５６】
取付部材６は、ファンユニット２を、室内側から見て隠蔽状態および露出状態の２状態に切替え可能に、面部材３２１を取付ける。隠蔽状態は、面部材３２１が額縁４１の下に略垂直に取り付けられた状態を示し、露出状態は、面部材３２１が移動させられることによって、室内側からファンユニット２の少なくとも一部を露出させた状態を示す。図６には、面部材３２１を取り外した場合にファンユニット２が露出されている状態が示されている。なお、図６においても、窓遮蔽部材１５の図示が省略されている。
【００５７】
支持部材８は、額縁４１から独立した状態で、床面１０３ａよりも高い位置にファンユニット２を支持している。取付部材６および支持部材８について、以下に詳細に説明する。
【００５８】
（取付部材について）
本実施の形態において、取付部材６は、固定部材４０に対し、ケンドン式によって面部材３２１を取り付ける。つまり、面部材３２１は、取付部材６を介して固定部材４０に着脱可能に支持される。
【００５９】
図７および図８に示されるように、本実施の形態では、面部材３２１は、その両側に位置する一対の横壁３２２の下地材４４に支持される。この場合、取付部材６は、下地材４４に固定された被係合部６２と、面部材３２１の補強材４３に固定され、被係合部６２に対し上方から係合する係合部６１とを含む。このように、本実施の形態では、係合部６１は、面部材３２１の屋外面に間接的に固定される。図９には、被係合部６２が示され、図１０には、係合部６１が示されている。
【００６０】
係合部６１は、補強材４３の側面４３ａに固定され、被係合部６２は、下地材４４の側面４４ａに固定されている。補強材４３の側面４３ａと、下地材４４の側面４４ａとは、互いに対面している。つまり、補強材４３の側面４３ａは、横壁３２２側に位置する面であり、下地材４４の側面４４ａは、面部材３２１側に位置する面である。
【００６１】
係合部６１および被係合部６２は、ともに、たとえば鋼材により形成されており、略Ｌ字状断面を有している。具体的には、係合部６１は、補強材４３の側面４３ａに、ビスなどの接合部材によって固定される縦板部６１１と、縦板部６１１の下端部に連結された横板部６１２とを含む。被係合部６２は、下地材４４の側面４４ａに、ビスなどの接合部材によって固定される縦板部６２１と、縦板部６２１の上端部に連結された横板部６２２とを含む。
【００６２】
面部材３２１は、その左右両端に設けられた係合部６１の横板部６１２が、隣接する被係合部６２の横板部６２２上に載置されることによって、隣接する横壁３２２の下地材４４に支持される。なお、取付けの際には、面部材３２１の上端部を、額縁４１の前縁部４１２よりも奥（屋外側）にくぐらせるようにして、面部材３２１が嵌め込まれる。
【００６３】
単に、係合部６１を被係合部６２に載置することによって面部材３２１を取付ける構造の場合であっても、面部材３２１は横架部材４２に当接するため、面部材３２１の屋外側への移動は規制される。しかし、面部材３２１の屋内側への移動を規制するためには、取付部材６は、係合部６１および被係合部６２の少なくとも一方に、ずれ防止部を含むことが望ましい。本実施の形態では、たとえば係合部６１に、ずれ防止部６１３が設けられている。この場合、ずれ防止部６１３は、横板部６１２の屋外側端部に設けられ、下方に突出している。
【００６４】
なお、本実施の形態では、横壁３２２の面部材３２１側端部に固定された部材が、横壁３２２の下地材４４であることとしたが、この部材は、横壁３２２の下地としての機能を果たすものでなくてもよい。
【００６５】
このような構成によれば、面部材３２１の取り付けにボルト等の接合部材を要しないため、工具を必要とせず、面部材３２１を容易に取り外すことができる。その結果、ファンユニット２を簡便に露出させることができる。また、ファンユニット２が、額縁４１から独立した状態で支持されているため、面部材３２１を取り外すだけで、ファン２２の点検やメンテナンスを行うこともできる。したがって、専門業者でなくても、ファンユニット２の点検等を行うことができる。
【００６６】
また、面部材３２１自体に点検口等を必要としないため、意匠性を維持することもできる。
【００６７】
また、本実施の形態では、既存の部材に係合部６１および被係合部６２を固定するだけでよいため、ファンユニット２を２状態に切替え可能とするために特殊なパネルを準備する必要がない。したがって、面部材３２１を、横壁３２２と同じ材質の壁体（たとえば石膏ボード）とすることができる。その結果、室内１８から見たときの内壁３２全体の美観を向上させることもできる。
【００６８】
（支持部材について）
支持部材８は、高さ調整可能にファンユニット２を支持している。支持部材８は、ファンユニット２の横幅方向両端部を支持する。この場合、図２に示されるように、支持部材８は、たとえば、床１０３に固定された一対の寸切ボルト８１と、二対のナット８３，８４とを含む。
【００６９】
一対の寸切ボルト８１は、ファンユニット２のフランジ部２４，２５の貫通穴２４０，２５０にそれぞれ挿通される。寸切ボルト８１は、上下方向に延びる軸部材の一例である。寸切ボルト８１は、たとえば、その下端部が、床１０３に埋め込まれたアンカー８２内に嵌め入れられることによって固定されている。ナット８３，８４は、ファンユニット２の各フランジ部を上下に挟んだ状態で、各寸切ボルト８１に係合される。ナット８３，８４は、ファンユニット２の高さをロックするためのロック部材の一例である。
【００７０】
本実施の形態では、ファンユニット２は、ベース部材５上に載置された状態で、支持部材８によって支持されている。そのため、図３に示されるように、ベース部材５にも、横幅方向両端部に、上下方向に貫通する貫通穴５１，５２がそれぞれ設けられている。貫通穴５１，５２は、それぞれ、ファンユニット２のフランジ部２４，２５の貫通穴２４０，２５０に対応した位置に設けられている。この場合、上側のナット８３はフランジ部の上面に当接し、下側のナット８４はベース部材５の裏面に当接する。
【００７１】
このような構成によれば、左右のナット８３，８４を回転させてそれらの位置（高さ）を変えることで、ファンユニット２の高さを調整することができる。そのため、図１１に示されるように、ファンユニット２を露出させた状態で、ナット８３，８４の位置を下げることによって、横架部材４２などの他部材に干渉しない位置に、ファンユニット２の高さを下げることができる。したがって、額縁４１を取り外さなくても、空間１０４からファンユニット２全体を取り出すことができる。その結果、ファンユニット２の交換も容易である。
【００７２】
また、支持部材８は、ファンユニット２を高さ調整可能に支持するため、ファンユニット２を設置する際には、ファンユニット２の上面２１ａの気密材７を額縁４１に圧接させることができる。つまり、気密材７を額縁４１の下面に押し付けた状態で、ファンユニット２を設置することができる。その結果、額縁４１とファンユニット２との間の気密性を確保することができる。また、稼働の際のファンユニット２の振動を防止することもできる。
【００７３】
なお、ファンユニット２の設置にベース部材５が用いられる場合には、ファンユニット２はフランジ部２４，２５を含まなくてもよい。つまり、寸切ボルト８１は、ベース部材５の貫通穴５１，５２を貫通するだけであってもよい。
【００７４】
また、支持部材８の軸部材およびロック部材は、寸切ボルト８１およびナット８３，８４以外のものであてもよい。また、軸部材は、床１０３そのものに固定されなくても、床１０３に固定された架台等に固定されてもよい。本実施の形態では、このような架台も「床」とみなす。
【００７５】
また、支持部材８は、額縁４１から独立した状態でファンユニット２を支持さえすれば、高さ調整可能でなくてもよい。この場合、支持部材８は、床１０３に固定される軸部材を含まず、窓１１の両側に設けられた柱部材などを利用することとしてもよい。このような場合、たとえばベース部材５の横幅方向両端部に、柱部材に面接触する接触部（図示せず）を設けて、ボルトなどの接合部材（図示せず）によって接触部を柱部材に固定してもよい。
【００７６】
＜実施の形態２＞
本発明の実施の形態２に係るファンユニットの取付け構造について説明する。図１２を参照して、実施の形態１の取付け構造１０と異なる部分のみ詳細に説明する。なお、図１２は、実施の形態１の図５に対応している。
【００７７】
本実施の形態に係るファンユニットの取付け構造１０Ａは、実施の形態１の面部材３２１および取付部材６に代えて、面部材３２１Ａおよび取付部材６Ａをそれぞれ含む。
【００７８】
面部材３２１Ａは、補強材の必要ない、比較的強度のある部材（たとえば、メラミン化粧合板）である。この場合、図１２および図１３に示されるように、取付部材６Ａは、面部材３２１Ａの屋外面側に固定される係合部６３と、横壁３２２の下地材４４に固定される被係合部６４とを含む。図１４には、係合部６３が示され、図１５には、被係合部６４が示されている。また、図１６には、係合部６３と被係合部６４との係合状態が模式的に示されている。なお、図１６では、理解を容易にするために、面部材３２１Ａが想像線で示されている。
【００７９】
図１４に示されるように、本実施の形態の係合部６３は、面部材３２１Ａの屋外面に直接固定される。係合部６３は、面部材３２１Ａの裏面（屋外面）の両端部に固定され、被係合部６４は、下地材４４の側面４４ａに固定されている。
【００８０】
係合部６３は、面部材３２１Ａの裏面に、ビスなどの接合部材によって固定される縦板部６３１と、縦板部６３１の下端部に連結された連結部６３２と、連結部６３２の屋外側端部より下方に延びる垂下部６３３とを含む。
【００８１】
被係合部６４は、下地材４４の側面４４ａに、ビスなどの接合部材によって固定される縦板部６４１と、縦板部６４１の屋内側端部に連結され、横幅方向に延びる対面部６４２と、対面部６４２の下端部から屋内側へ向けて斜め上方に折り曲げられた折り曲げ部６４３とを含む。
【００８２】
この場合、左右の係合部６３の垂下部６３３が、隣接する被係合部６４の対面部６４２と折り曲げ部６４３とにより形成された溝内に嵌め入れられることによって、面部材３２１が取り付けられる。本実施の形態によれば、実施の形態１で示したようなずれ防止部６１３がなくても、面部材３２１Ａの屋外側および屋内側への移動を規制することができる。
【００８３】
なお、係合部６３および被係合部６４の形状は、係合部６３が直接面部材３２１Ａの屋外面に固定できれば、図示したような形状に限定されない。
【００８４】
＜実施の形態３＞
本発明の実施の形態３に係るファンユニットの取付け構造について説明する。図１７を参照して、実施の形態２の取付け構造１０Ａと異なる部分のみ詳細に説明する。なお、図１７は、実施の形態１の図４に対応している。
【００８５】
本実施の形態に係るファンユニットの取付け構造１０Ｂは、実施の形態２の取付部材６Ａに代えて、取付部材６Ｂを含む。
【００８６】
上記実施の形態２では、ケンドン式によって面部材３２１Ａを額縁４１の下に取付けたが、本実施の形態では、蝶番式によって面部材３２１Ａを取付ける。つまり、本実施の形態では、取付部材６Ｂは、横架部材４２に対し、面部材３２１を回動可能に取り付けるための蝶番６５によって実現される。蝶番６５は、たとえば、横架部材４２の上面に固定される。
【００８７】
この場合、隠蔽状態では、面部材３２１Ａは、横架部材４２の室内側の面に当接した状態で略垂直に配置されている。これに対し、図１２において想像線で示すように、面部材３２１の下端部を室内側へ回動させることで、ファンユニット２を露出状態に切替えることができる。
【００８８】
なお、上記実施の形態では、取付部材は、面部材の取付けに、ケンドン式および蝶番式のいずれかを採用することとした。しかしながら、面部材を上記２状態に切替え可能に取付けることができれば、他の方式を採用してもよい。
【００８９】
また、上記各実施の形態では、ファンユニットは、長手方向一端部側にのみファンを設ける構成としたが、長手方向両端部にファンを設けてもよい。また、ファンユニットの取付けにベース部材を介さない場合等においては、ファンユニットの底面にファンが設けられていてもよい。
【００９０】
また、建物外壁の開口部構造としては、上記開口部構造に限定されない。たとえば、窓遮蔽部材は、下方から開口するように構成されていてもよい。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
２  ファンユニット、５  ベース部材、６，６Ａ，６Ｂ  取付部材、７  気密材、８  支持部材、１０，１０Ａ，１０Ｂ  取付け構造、１１  窓、１２  第１の窓、１２  第２の窓、１４  空気層、１５  窓遮蔽部材、１６  吸気部、１７  排気部、１８  室内、１９  庇、２１  筐体、２２，１７０  ファン、２３  吹出し口、２４，２５  フランジ部、３１  外壁、３２  内壁、３３  ＯＡフロア、４０  固定部材、４１  額縁、４２  横架部材、４３  補強材、４４  下地材、４５  金具、５１，５２，２４０，２５０  貫通穴、６１，６３  係合部、６２，６４  被係合部、６５  蝶番、８１  寸切ボルト、８３，８４  ナット、１００  開口部構造、１０１  壁部、１０２  開口部、１０３  床、１０４  空間、１０５  吸気口、１１０  桟部、３２１，３２１Ａ  面部材、３２２  横壁、４１０  開口、４１１  脚部、４１２  前縁部、６１１，６２１，６３１，６４１  縦板部、６１２，６２２  横板部、６１３  ずれ防止部、６３２  連結部、６３３  垂下部、６４２  対面部、６４３  折り曲げ部。
【図１】
2015224817.tif 000003
【図２】
2015224817.tif 000004
【図３】
2015224817.tif 000005
【図４】
2015224817.tif 000006
【図５】
2015224817.tif 000007
【図６】
2015224817.tif 000008
【図７】
2015224817.tif 000009
【図８】
2015224817.tif 000010
【図９】
2015224817.tif 000011
【図１０】
2015224817.tif 000012
【図１１】
2015224817.tif 000013
【図１２】
2015224817.tif 000014
【図１３】
2015224817.tif 000015
【図１４】
2015224817.tif 000016
【図１５】
2015224817.tif 000017
【図１６】
2015224817.tif 000018
【図１７】
2015224817.tif 000019